(57)【要約】  所与の眼鏡フレームに従って光学系を計算する方法。所与の眼鏡フレームに従って眼用レンズの光学系（ＯＳ）を計算する方法であって、前記眼用レンズは眼視野像（ＶＩ）を提供するように配置された後面（ＢＳ）及び前面（ＦＳ）、近位面（ＰＳ）と遠位面（ＤＳ）とを有する導光光学素子を含み、前記導光光学素子は補助画像（ＳＩ）を出力するように配置され、本方法は、・フレーム又は導光光学素子の少なくとも形態幾何学的パラメータデータを提供する工程と、・標的として少なくとも形態幾何学的パラメータデータに従って光学系（ＯＳ）を最適化する工程とを含む、方法。
2017509929.tif 000002
【特許請求の範囲】
【請求項１】
所与の眼鏡フレームに従って眼用レンズの光学系（ＯＳ）を計算する方法であって、前記眼用レンズは眼視野像（ＯＶ）を提供するように配置された後面（ＢＳ）及び前面（ＦＳ）を含み、前記後面は前記眼用レンズが装着されると装着者の眼に最も近く配置され、前記眼用レンズは近位面（ＰＳ）と遠位面（ＤＳ）とを有する導光光学素子を含み、前記導光光学素子は、前記近位面（ＰＳ）上に配置された出射面（ＥＳ）を通って前記装着者へ補助画像（ＳＩ）を出力するように配置され、前記方法は、
・前記眼鏡フレーム又は前記導光光学素子の少なくとも形態幾何学的パラメータデータを提供する工程と、
・標的として少なくとも前記形態幾何学的パラメータデータに従って前記光学系（ＯＳ）を最適化する工程と
を含む、眼用レンズの光学系（ＯＳ）を計算する方法。
【請求項２】
前記眼鏡フレーム及び／又前記導光光学素子の形態幾何学的パラメータは、前記眼鏡フレームの装用時前傾角、前記眼鏡フレームの顔形角度、前記眼鏡フレームの基本曲線及び前記眼鏡フレームの輪郭、並びに前記導光光学素子の装用時前傾角からなるリスト内で選択される、請求項１に記載の眼用レンズの光学系（ＯＳ）を計算する方法。
【請求項３】
請求項１又は２に記載の眼用レンズの光学系（ＯＳ）を計算する方法であって、
・前記補助画像の所望の視方向を提供する工程であって、前記光学系（ＯＳ）が標的としての前記所望の視方向に従っても最適化される、工程
をさらに含む、眼用レンズの光学系（ＯＳ）を計算する方法。
【請求項４】
前記光学系（ＯＳ）は前記遠位面（ＤＳ）と前記前面（ＦＳ）との距離ｄ１、及び前記近位面（ＰＳ）と前記後面（ＢＳ）との距離ｄ２が０．２ｍｍ以上であるという条件付きで最適化される、請求項１〜３のいずれか一項に記載の眼用レンズの光学系（ＯＳ）を計算する方法。
【請求項５】
前記光学系（ＯＳ）は前記眼用レンズの標的中心厚さ及び標的端厚さに従っても最適化される、請求項１〜４のいずれか一項に記載の眼用レンズの光学系（ＯＳ）を計算する方法。
【請求項６】
請求項１〜５のいずれか一項に記載の眼用レンズの光学系（ＯＳ）を計算する方法であって、
・前記装着者の処方箋データを提供する工程であって、前記光学系（ＯＳ）は標的としての前記装着者の処方箋データに従っても最適化される、工程
をさらに含む、眼用レンズの光学系（ＯＳ）を計算する方法。
【請求項７】
請求項１〜６のいずれか一項に記載の眼用レンズの光学系（ＯＳ）を計算する方法であって、
・前記導光光学素子の初期位置を提供する工程であって、前記光学系（ＯＳ）は前記導光光学素子の前記初期位置をずらす及び／又は傾斜させることによっても最適化される、工程
をさらに含む、眼用レンズの光学系（ＯＳ）を計算する方法。
【請求項８】
前記出射面（ＥＳ）はＡＣ（α，β）と表される開口角輪郭により画定される、請求項１〜７のいずれか一項に記載の眼用レンズの光学系（ＯＳ）を計算する方法であって、
・装着者の調節努力閾値（ＡＥＴ）を提供する工程と、
・前記補助画像（ＳＩ）を見る際に前記装着者の調節努力が前記装着者の調節努力閾値（ＡＥＴ）以下であるように、前記光学系（ＯＳ）をＡＣ（α，β）内で最適化する工程と
をさらに含む、眼用レンズの光学系（ＯＳ）を計算する方法。
【請求項９】
請求項１〜８のいずれか一項に記載の眼用レンズの光学系（ＯＳ）を計算する方法であって、
・設計光学データを提供する工程であって、前記光学系（ＯＳ）の前記前面（ＦＳ）及び／又は前記後面（ＢＳ）は標的としての前記設計光学データに従っても最適化される、工程
をさらに含む、眼用レンズの光学系（ＯＳ）を計算する方法。
【請求項１０】
前記前面（ＦＳ）又は前記後面（ＢＳ）それぞれの前記最適化は、モデル眼用レンズの前記設計光学データに対応するモデル眼用レンズ前方（ＦＳ）又は後面（ＢＳ）上にプリズムを追加する工程を含む、請求項９に記載の眼用レンズの光学系（ＯＳ）を計算する方法。
【請求項１１】
さらに、前記光学系（ＯＳ）の前記前面（ＦＳ）及び前記後面（ＢＳ）は、（α，β）が輪郭ＡＣ（α，β）から外れると、前記装着者の眼視野を満たすように同時に最適化されることを含む、請求項８に記載の眼用レンズの光学系（ＯＳ）を計算する方法。
【請求項１２】
請求項１〜１１のいずれか一項に記載の光学系（ＯＳ）に従ってレンズブランクを機械加工することにより加入度眼用レンズを製造する方法。
【請求項１３】
請求項１２に記載の方法に従って製造される眼用レンズであって、前記出射面（ＥＳ）を通る凝視方向に従った平均球と前記眼用レンズの周囲の点における平均球（Ｐｅｒｉｐｈ）との差（Δ１）が前記前面上又は前記後面上のいずれかで４ジオプタを超える（Δ１＞４Ｄ）、眼用レンズ。
【請求項１４】
プロセッサにアクセス可能であり、前記プロセッサにより実行されると前記プロセッサに少なくとも請求項１〜１２のいずれか一項に記載の工程を実行させる１つ又は複数の格納された命令シーケンスを含む、コンピュータプログラム製品。
【請求項１５】
請求項１４に記載のコンピュータプログラム製品の１つ又は複数の命令シーケンスを担持するコンピュータ可読媒体。
【発明の詳細な説明】
【技術分野】
【０００１】
本発明は、概して、所与の眼鏡フレームに従った眼用レンズの光学系（ＯＳ）の最適化の分野に関する。より具体的には、本発明は、眼視野像（ＶＩ）と補助視野（ＳＶ）との両方をレンズ装着者へ提供するように構成された眼用レンズの光学系（ＯＳ）をフレームの少なくとも１つの形態幾何学的パラメータデータに従って計算する方法に関する。
【背景技術】
【０００２】
眼視野と補助視野とを提供する眼鏡レンズは従来技術においてよく知られている。前記眼用レンズは前面及び後面を有し、且つ導光光学素子を含む。前記導光光学素子は、情報内容が情報の最小限喪失で見られるようにするために光を光源（例えば光ビーム生成系）から装着者の眼へ移動させるように設計された装置である。
【０００３】
一実施形態によると、光ビームは、レンズ中に導入されるときとそれから出るときとの間に２つの「反射」面間で複数回反射され、前記２つの反射面が導光光学素子の面である。
【０００４】
本発明の枠組みでは、導光光学素子は美的理由及びコンパクト性のためにレンズ内に完全に含まれなければならない。
【発明の概要】
【発明が解決しようとする課題】
【０００５】
本発明が解決しようとする課題は、所与の眼鏡フレームに従って装着者へ好適な眼視野と好適な補助視野との両方を同時に提供する眼鏡レンズを提供することである。
【課題を解決するための手段】
【０００６】
この目的のため、本発明の目的は、所与の眼鏡フレームに従って眼用レンズの光学系（ＯＳ）を計算する方法であって、前記眼用レンズは眼視野像（ＯＶ）を提供するように配置された後面（ＢＳ）及び前面（ＦＳ）を含み、後面は眼用レンズが装着されると装着者の眼に最も近く配置され、眼用レンズは近位面（ＰＳ）と遠位面（ＤＳ）とを有する導光光学素子を含み、前記導光光学素子は、近位面（ＰＳ）上に配置された出射面（ＥＳ）を通って装着者へ補助画像（ＳＩ）を出力するように配置され、本方法は、
・フレーム又は導光光学素子の少なくとも形態幾何学的パラメータデータを提供する工程と、
・標的として少なくとも形態幾何学的（ｍｏｒｐｈｏ−ｇｅｏｍｅｔｒｉｃａｌ）パラメータデータに従って光学系（ＯＳ）を最適化する工程と
を含む、方法である。
【０００７】
本発明の一実施形態によると、形態幾何学的パラメータデータはフレームの（複数の）形態幾何学的パラメータデータである。
【０００８】
本発明に関連して、表現「眼視野」は、装着者の環境のシーンの可視知覚（ｖｉｓｉｂｌｅ  ｐｅｒｃｅｐｔｉｏｎ）を意味し、太陽レンズを使用し、必要に応じて補正することによりこのシーンが装着者の前に現われるようにする。シーンの像は、シーンを見る際の装着者の環境から直接発生する。
【０００９】
このようなレンズは、シーンに含まれるグローバル情報を修正しない。したがってグローバル情報は、シーンの像が装着者の処方箋に従って補正画像を提供するように変形されるか、又は太陽レンズのために着色され得るとしても知覚される。
【００１０】
眼視野とは異なり、補助視野は装着者の環境から直接発生しない情報を対象者に提供し得る。補助視野は対象者へ提示されるデータであり得る。例えば、飛行機パイロットのヘッドセットのサンバイザ上に重ねて投影される航法データは、情報視野（ｉｎｆｏｒｍａｔｉｖｅ  ｖｉｓｉｏｎ）タイプの補助視野を構成する。別のタイプの補助視野は、対象者の環境のいくつかの部分の修正画像を提供し得る。したがって、補助視野の他の例は、可視光に変換される赤外線像、又は対象者の環境の拡大された一部の画像の提供である。
【００１１】
本発明に関連して、表現「遠位面」は装着者の眼に対して最も遠くに位置する面を意味する。
【００１２】
逆に、表現「近位面」は装着者の眼に最も近く位置する面を意味する。
【００１３】
本発明が適用される眼鏡レンズは、眼視野を保持する一方で装着者の視野内に又はこの視野の一部分内にこのような補助画像を提示するように設計される。換言すれば、眼視野と補助視野との２つの視野が装着者に利用可能である。２つの視野は同時に又は交互に利用可能であり得る。情報的補助視野（ｉｎｆｏｒｍａｔｉｖｅ  ｓｕｐｐｌｅｍｅｎｔａｒｙ  ｖｉｓｉｏｎ）の場合、補助画像は情報データの可視提示に対応する。これらのデータは、特にはより大きい光強度又は明確な色で眼画像（ｏｐｈｔｈａｌｍｉｃ  ｉｍａｇｅ）上に重ねられて現われ得る。眼画像は情報補助視野のデータが装着者へ提示される間、可視であってもなくてもよい。
【００１４】
本発明に関連して、導光光学素子を含む眼用レンズの表現「光学系」（ＯＳ）は、前記レンズの後面（ＢＳ）及び前面（ＦＳ）、前記導光光学素子の近位面（ＰＳ）及び遠位面（ＤＳ）、前記様々な面の相対位置、並びに様々な面間の屈折率を定義するデータ及び／又は式の組である。
【００１５】
計算工程は、光線追跡法又は最適化アルゴリズムを使用することにより行われ得る。これらの方法は、例えば、参照により本明細書に援用される文献“Ａｐｐｌｉｃａｔｉｏｎ  ｏｆ  ｏｐｔｉｍｉｚａｔｉｏｎ  ｉｎ  ｃｏｍｐｕｔｅｒ−ａｉｄｅｄ  ｏｐｈｔｈａｌｍｉｃ  ｌｅｎｓ  ｄｅｓｉｇｎ”（Ｐ．Ａｌｌｉｏｎｅ，Ｆ．Ａｈｓｂａｈｓ  ａｎｄ  Ｇ．Ｌｅ  Ｓａｕｘ，ｉｎ  ＳＰＩＥ  Ｖｏｌ．３７３７，ＥＵＲＯＰＴＯ  Ｃｏｎｆｅｒｅｎｃｅ  ｏｎ  Ｄｅｓｉｇｎ  ａｎｄ  Ｅｎｇｉｎｅｅｒｉｎｇ  ｏｆ  Ｏｐｔｉｃａｌ  Ｓｙｓｔｅｍｓ，Ｂｅｒｌｉｎ，Ｍａｙ  １９９９）において当業者により知られている。
【００１６】
所与の前面を有するレンズの光学系を計算することも当業者により知られており、精密な方法の例は特許文献国際公開第２００７／０１７７６６号パンフレットに開示されている。
【００１７】
本発明の実施形態によると、眼鏡フレーム及び／又は導光光学素子の形態幾何学的パラメータは、フレームの装用時前傾角（ｐａｎｔｏｓｃｏｐｉｃ  ａｎｇｌｅ）、フレームの顔形角度（ｆａｃｅ  ｆｏｒｍ  ａｎｇｌｅ）、フレームの基本曲線及びフレームの輪郭、並びに導光光学素子の装用時前傾角からなるリスト内で選択される。
【００１８】
本発明の実施形態によると、形態幾何学的パラメータは眼鏡フレームの（複数の）形態幾何学的パラメータであり、フレームの装用時前傾角、フレームの顔形角度、フレームの基本曲線、及びフレームの輪郭からなるリスト内で選択される。
【００１９】
本発明に関連して、
・「フレームの装用時前傾角」は、「玉型（ｌｅｎｓ  ｓｈａｐｅ）の面」と「フレームアームの面」との角度の垂直成分であり、「フレームアームの面」は左アームセグメントと右アームセグメントとを含む面である。アームセグメントは、フレーム形（ｆｒａｍｅ  ｓｈａｐｅ）へのアームの締め具と、このアームと装着者の耳との接触点とを連結するセグメントである。多くの場合、フレームアームはフレーム形から耳まで延びる線形／直線部を有し、この線形／直線部はセグメントの良好な近似と見なされ得る。
・「顔形角度」は、眼鏡前部の面と右玉型又は左玉型の面との角度を意味する。
○「玉型の面」は、フレームに取り付けられた際のその玉型中心（ｂｏｘｅｄ  ｃｅｎｔｒｅ）における平レンズ又はデモレンズ又はダミーレンズの前面に接する面を意味する。平レンズが使用されることが好ましい。
○「眼鏡前部の面」は、左右玉型（ｂｏｘｅｄ  ｌｅｎｓ  ｓｈａｐｅｓ）の垂直方向中心線を含む面を意味する。上記定義は、本明細書に参照として援用する国際規格ＩＳＯ１３６６６に記載されている。
・「フレームの基本曲線」は、眼鏡フレームの輪郭の点の組に最小自乗的意味で最も近い球の湾曲と理解すべきである。拡大解釈すれば、ジオプタで表現される眼鏡フレームの輪郭の基線値（Ｂｍ）は、次式で定義され得る。
Ｂｍ＝（ｎ−１）・ＣＵＲＶｍ（式中、ｎ＝１．５３である）
・「フレームの輪郭」は、レンズが嵌められたときのフレーム溝に沿った点の座標を表す。フレームが縁無し（溝無し）であれば、フレーム輪郭はデモ／ダミーレンズの輪郭である。
・「導光光学素子の装用時前傾角」は、導光光学素子の出射面の法線と第一眼位における眼の視線との角度と理解すべきである。前記定義は後で説明する図７ａ及び図７ｂに示される。
【００２０】
一実施形態によると、形態幾何学的パラメータは、眼鏡フレーム並びに／又はフレーム及び前記フレームに取り付けられた際の眼用レンズからなる系を測定することにより得られる。
【００２１】
別の実施形態によると、形態幾何学的パラメータは眼鏡フレームデータベースから得られる。
【００２２】
一実施形態によると、本発明のレンズは単焦点レンズである。
【００２３】
別の実施形態によると、本発明のレンズは累進度レンズである。
【００２４】
累進度レンズ又は累進加入度レンズは正の屈折加入度を有するレンズである。
【００２５】
「累進加入度面（ｐｒｏｇｒｅｓｓｉｖｅ  ａｄｄｉｔｉｏｎ  ｓｕｒｆａｃｅ）」により意味するのは、少なくとも２つの距離視野ゾーン（ｄｉｓｔａｎｃｅ  ｖｉｓｉｏｎ  ｚｏｎｅ）と前記２つの距離視野ゾーンを接続するゾーンとを有する連続非球面であり、接続ゾーン内の屈折度は最遠距離視野ゾーン（遠方視野ゾーン）と最近距離視野ゾーン（近接視野ゾーン）との間で増加する。
【００２６】
「逆進面（ｒｅｇｒｅｓｓｉｖｅ  ｓｕｒｆａｃｅ）」により意味するのは、少なくとも２つの距離視野ゾーンと前記２つの距離視野ゾーンを接続するゾーンとを有する連続非球面であり、接続ゾーン内の屈折度は最遠距離視野ゾーンと最近距離視野ゾーンとの間で低下する。
【００２７】
「距離視野ゾーン」により意味するのは、見る人が所与の距離に対して快適視野を有する多焦点レンズのゾーンであり、距離視野ゾーンは通常、遠方視野ゾーン（遠方視距離、すなわち４メートルを超える視距離）、中間視野ゾーン（コンピュータ視距離、すなわち約６０ｃｍ〜４メートルの視距離などの中間距離）、近方視野ゾーン（読書距離、すなわち６０ｃｍ未満の視距離）からなるリスト内で選択される。
【００２８】
「屈折加入度」により意味するのは、２つの距離視野ゾーン間の屈折度差の量であり、前記差は最近距離視野ゾーンの屈折度と最遠距離視野ゾーンの屈折度との間で計算される。
【００２９】
累進加入度眼用レンズは今やよく知られている。このようなレンズは、眼鏡装着者が自らの眼鏡を取り外す必要無しに、老眼を矯正するために、且つ眼鏡装着者が広範囲の距離にわたって物体を見ることができるようにするために使用される。累進加入度レンズは、通常、これらに限定しないが、レンズの最上部に配置された遠隔視野領域とレンズの最下部に配置された近接視野領域とを有する。所与の老眼装着者の処方箋は、遠隔視野の処方屈折力値と、遠隔視野と近接視野との間で必要な度数増加を表す処方屈折力加入度とを含む。屈折力加入度は「処方加入度」と称される。
【００３０】
装着者の必要性に応じて、累進加入度眼用レンズは以下のような様々な実施形態を包含する。
・遠隔視野が遠方視野であり、近接視野は近方視野である。
・遠隔視野が中間視野であり、近接視野は近方視野である。
・遠隔視野が遠方視野であり、近接視野は中間視野である。
【００３１】
一実施形態によると、本発明による方法で実現される眼用レンズは、遠方視野ゾーンと、中間視野ゾーンと、近方視野ゾーンを含むレンズ、中間視野ゾーンと近方視野ゾーンとを含むレンズ、及び遠方視野ゾーンと中間視野ゾーンとを含むレンズからなるリスト内で選択される累進加入度レンズである。
【００３２】
本発明の別の実施形態によれば、本発明の方法は、
・補助画像の所望の視方向を提供する工程であって、光学系（ＯＳ）が標的としての所望の視方向に従っても最適化される、工程
をさらに含む。
【００３３】
したがって、上記実施形態によると、補助画像の視方向が装着者の眼方向と一致すると、装着者により感知される光束（及び補助画像の光度）は最大化される。
【００３４】
本発明の別の実施形態によると、光学系（ＯＳ）は遠位面（ＤＳ）と前面（ＦＳ）との距離ｄ１、及び近位面（ＰＳ）と後面（ＢＳ）との距離ｄ２がレンズフレームへ機械的安定性を提供するように０．１ｍｍ、好適には０．２ｍｍ超の閾値以上であるという条件付きで最適化される。本発明者らは、０．１ｍｍに等しい閾値が有利であると判断した。好ましい閾値は０．２ｍｍである。
【００３５】
上記実施形態のうちの任意の１つと組み合わせられ得る本発明の別の実施形態によると、光学系（ＯＳ）はまた、眼用レンズの標的中心厚さと標的端厚さとに従って最適化される。
【００３６】
本発明に関連して、
・表現「標的中心厚さ」は、その光学中心又は設計基準点において測定されるレンズの厚さを意味するか、又は累進度レンズに関して、プリズム基準点又は任意の他の選択基準点（例えば、レンズ上のマーキングであり得る）におけるレンズの厚さを意味する。
・表現「標的端厚さ」は、光軸にほぼ平行に測定されるレンズ（切断された又は未切断の）の端上の点における所与の厚さを意味する。
【００３７】
上記実施形態のうちの任意の１つと組み合わせられ得る本発明の別の実施形態によると、本発明による方法は、
・装着者の処方箋データを提供する工程であって、光学系（ＯＳ）は標的としての装着者の処方箋データに従っても最適化される、工程
をさらに含む。
【００３８】
本発明に関連して、表現「処方箋データ」は、屈折力、非点収差、及び適切な場合には、例えば個人の眼の前に配置されたレンズにより個人の視力欠陥を補正するために眼科医又はアイケア医師（ＥＣＲ）により判断された加入度からなる光学特性の組を意味する。用語「非点収差」は振幅値と角度の値とにより形成されるデータ対を示すために使用される。これは言語の誤用であるが、この用語はまた、非点収差のみの振幅を示すために使用されることがある。文脈から、用語のいずれの用途が意図されているかを当業者は理解することができる。一般的に言えば、累進レンズの処方箋データは、遠方視野点における屈折力と非点収差の値及び適切な場合には加入度値を含む。
【００３９】
上記実施形態のうちの任意の１つと組み合わせられ得る本発明の別の実施形態によると、本発明による方法は、
・導光光学素子の初期位置を提供する工程であって、光学系（ＯＳ）は導光光学素子の初期位置をずらす及び／又は傾斜させることによっても最適化される、工程
をさらに含む。
【００４０】
一実施形態によると、傾斜角は、導光光学素子の初期位置に関して−１５°〜＋１５°に含まれる。
【００４１】
別の実施形態によると、ずらす量は、導光光学素子の初期位置に関して−８ｍｍ〜＋８ｍｍに含まれる。
【００４２】
上記実施形態のうちの任意の１つと組み合わせられ得る本発明の別の実施形態によると、出射面（ＥＳ）はＡＣ（α，β）と表される開口角輪郭により画定される。本発明による方法はまた、
・装着者の調節努力閾値（ＡＥＴ）を提供する工程と、
・補助画像（ＳＩ）を見る際に装着者の調節努力が装着者の調節努力閾値（ＡＥＴ）以下であるように、光学系（ＯＳ）をＡＣ（α，β）内で最適化する工程と
を含む。
【００４３】
一実施形態によると、調節努力閾値は装着者の年齢に従って判断される。
【００４４】
例えば、若い装着者（約２０歳）については＋１０Ｄの調節努力閾値を選択し得る。
【００４５】
４０歳前後の装着者については、＋５Ｄの調節努力閾値を選択し得る。
【００４６】
５０歳前後の装着者については、＋２Ｄの調節努力閾値を選択し得る。
【００４７】
上記実施形態と組み合わせられ得る本発明の別の実施形態によると、光学系（ＯＳ）の前面（ＦＳ）及び後面（ＢＳ）はまた、（α，β）が輪郭ＡＣ（α，β）から外れると、装着者の眼視野を満たすように同時に最適化される。
【００４８】
上記実施形態のうちの任意の１つと組み合わせられ得る本発明の別の実施形態によると、本発明による方法は、
・設計光学データを提供する工程であって、光学系（ＯＳ）の前面（ＦＳ）及び／又は後面（ＢＳ）は標的としての設計光学データに従っても最適化される、工程
をさらに含む。
【００４９】
上記実施形態と組み合わせられ得る本発明の別の実施形態によると、前面（ＦＳ）又は後面（ＢＳ）それぞれの最適化は、モデル眼用レンズの設計光学データに対応するモデル眼用レンズ前方（ＦＳ）又は後面（ＢＳ）上にプリズムを追加する工程を含む。
【００５０】
本発明に関連して、当業者により知られ広く使用される語法である表現「設計光学データ」は、一般的光学系の光学機能を定義できるようにするパラメータの組を意味する。一例として、ＰＡＬ「設計」は、すべての距離において明瞭に見えるように老眼者の能力を回復するように、及び中心視覚、中心外視覚、双眼視覚などのすべての生理学的視覚機能を最適に尊重するように、及び望ましくない非点収差を最小化するように累進面を最適化した結果である。
【００５１】
本発明の別の目的は、上記実施形態において定義された光学系（ＯＳ）に従ってレンズブランクを機械加工することにより加入度眼用レンズを製造する方法である。
【００５２】
本発明の別の目的は、上記方法に従って製造される眼用レンズであって、出射面（ＥＳ）を通る凝視方向に従った平均球とレンズの周囲の点における平均球（Ｐｅｒｉｐｈ）との差（Δ１）が前面上又は後面上のいずれかで４ジオプタを超える（Δ１＞４Ｄ）、眼用レンズである。
【００５３】
上記実施形態は高い顔形角度を有するフレームに適合する眼用レンズを提供する。
【００５４】
本発明の別の目的は、プロセッサにアクセス可能であり、プロセッサにより実行されるとプロセッサに少なくとも上記実施形態に記載の工程を実行させる１つ又は複数の格納された命令シーケンスを含む、コンピュータプログラム製品である。
【００５５】
本発明の別の目的は、上記コンピュータプログラム製品の１つ又は複数の命令シーケンスを担持するコンピュータ可読媒体である。
【００５６】
特記しない限り、以下の論述から明らかなように、本明細書の論述を通して、「計算する」、「算出する」、「生成する」などの用語を使用する論述は、計算システムのレジスタ及び／又はメモリ内の電子的量などの物理量として表されるデータを、計算システムのメモリ、レジスタ、又は他のこのような情報記憶装置、送信装置、又は表示装置内の物理量として同様に表される他のデータに操作及び／又は変換するコンピュータ又は計算システム又は同様の電子計算装置の行為及び／又は処理を指すことが理解される。
【００５７】
本発明のいくつかの実施形態は本明細書における動作を行う装置を含み得る。この装置は、所望の目的のために特に構築され得、又はコンピュータ内に格納されたコンピュータプログラムにより選択的に活性化又は再構成される汎用コンピュータ又はデジタル信号処理装置（ＤＳＰ）を含み得る。このようなコンピュータプログラムは、限定しないが、フロッピーディスク、光ディスク、ＣＤ−ＲＯＭ、光磁気ディスク、読み出し専用メモリ（ＲＯＭ）、ランダムアクセスメモリ（ＲＡＭ）、電気的プログラマブル読み出し専用メモリ（ＥＰＲＯＭ）、電気的消去可能及びプログラム可能な読み出し専用メモリ（ＥＥＰＲＯＭ）、磁気又は光カード、或いは電子的命令を格納するのに好適であり且つコンピュータ系バスに結合できる任意の他のタイプの媒体を含む任意のタイプのディスクなどのコンピュータ可読記憶媒体内に格納され得る。
【００５８】
本明細書に提示される処理及び表示は、いかなる特定のコンピュータ又は他の装置にも本質的には関連付けられない。様々な汎用システムが本明細書の教示に従ってプログラムとともに使用され得るか、又は様々な汎用システムは所望の方法を実行するように専用化された装置を構築するのに好都合であることが分かり得る。多種多様のこれらの系の所望の構造は以下の説明から分かる。加えて、本発明の実施形態はいかなる特定のプログラミング言語も参照して記述されない。本明細書に記載される本発明の教示を実施するために様々なプログラミング言語が使用され得ることが理解される。
【００５９】
導光光学素子を含むレンズと導光光学素子を含まないレンズとからなる装置（フレームに搭載される右眼レンズ及び左眼レンズ）を計算する際、本発明による導光光学素子を含むレンズの幾何学形状を第２のレンズの対に適用することが好ましい。両眼に対して同様の幾何学形状を有することで、プリズム偏差及び歪みという意味合いで両眼視差を低減させる。それはまた、装置をより美しくする。それはまた、２つのレンズ間の重量差異を低減させる。
【００６０】
次に、実例について添付図面を参照して説明する。
【図面の簡単な説明】
【００６１】
【図１ａ−ｂ】装着者の眼と、装着者の眼視野を補正することができ、且つ補助画像を出力するように配置された導光光学素子を含む眼鏡レンズとの概略図である。
【図２】本発明に従って計算された光学系の水平断面であり、ここでは眼用レンズの後面及び前面は標的としてフレームの基本曲線に従って最適化される。
【図３】本発明に従って計算された光学系の水平断面であり、ここでは眼用レンズの後面及び前面は標的としてフレームの顔形角度に従って最適化される。
【図４】本発明に従って計算された光学系の水平断面であり、ここでは眼用レンズの後面及び前面は、その初期位置から導光光学素子を傾斜させた後に標的としてフレームの顔形角度に従って最適化された。
【図５】本発明に従って計算された光学系の垂直断面であり、ここでは眼用レンズの後面及び前面は、標的としてフレームの装用時前傾角に従って最適化された。
【図６】本発明に従って計算された光学系の垂直断面であり、ここでは眼用レンズの後面及び前面は、その初期位置から導光光学素子を傾斜させた後に標的として装用時前傾角に従って最適化された。
【図７ａ−ｂ】装着者の眼と補助画像を出力するように配置された導光光学素子との概略図であり、フレームの装用時前傾角と導光光学素子の装用時前傾角との定義を示す。
【発明を実施するための形態】
【００６２】
図中の要素は簡略化及び明確化のために示されており、必ずしも原寸に比例して描かれていない。例えば、図面内の要素のいくつかの寸法は、本発明の実施形態の理解を改善するのを支援するために他の要素に対して誇張されることがある。
【００６３】
「水平断面」は、主凝視方向と眼（左右両方）の２つの回転中心とを通る面（水平面と名付けられる）に従った断面と理解すべきである。
【００６４】
「垂直断面」は、水平面に対して垂直であり主凝視方向を通る面（垂直面と名付けられる）に従った断面と理解すべきである。
【００６５】
図１ａ及び図１ｂは、装着者の眼１００へ補助画像ＳＩを出力することにより眼視野ＯＶと補助視野との両方を提供する眼鏡レンズ１０の原理を示す概略図である。前記眼鏡レンズは装着者の眼視野を補正することができ、後面ＢＳと前面ＦＳを有し、後面は眼鏡レンズが装着されると装着者の眼に最も近く配置される。前記眼鏡レンズはまた、導光光学素子２の出射面ＥＳを通して補助画像ＳＩを装着者へ出力するように配置された導光光学素子２を含む。
【００６６】
レンズ１０は、眼科分野で使用される任意の有機又は無機材料であり得る少なくとも２つの透明性且つ屈折性材料からなる。導光光学素子２は後面ＢＳと前面ＦＳとの間に挿入される。導光光学素子２は、「近位面」ＰＳと名付けられた面と「遠位面」ＤＳと名付けられた面との２つの対向面を有し、近位面は眼鏡レンズが装着されると遠位面より装着者の眼に近い。したがって、近位面ＰＳは後面ＢＳから最も近い導光光学素子の面であり、遠位面ＤＳは前面ＦＳから最も近い導光光学素子の面である。
【００６７】
一実施形態によると、近位面ＰＳと遠位面ＤＳとは平行面である。
【００６８】
別の実施形態によると、近位面ＰＳと遠位面ＤＳとは非平行面である。
【００６９】
一実施形態によると、近位面ＰＳ及び／又は遠位面ＤＳは平面である。
【００７０】
一実施形態によると、近位面ＰＳ及び／又は遠位面ＤＳは曲面である。このような曲面は例えば球面、円環状面、球−円環状面である。このような曲面はまた、非球面化面又は円環状面又は球−円環状面であり得る。
【００７１】
第１の透明性且つ屈折性材料は導光光学素子２の周囲に位置し、導光光学素子２は第２の透明性且つ屈折性材料で作られ、前記２つの材料の屈折率は同一であってもよく、若干異なってもよく、又は著しく異なってもよい。
【００７２】
本実施形態によると、レンズ１０は凸状前面ＦＳと凹状後面ＢＳとを有する。面ＦＳと面ＢＳとはそれぞれの曲率を有する。これらの曲率は併せて、前記２つの面間の材料の光屈折率の値により眼視野ＯＶの眼鏡レンズの屈折力を決定する。
【００７３】
本発明の枠組みでは、この屈折力は多焦点視野を提供するように光景の方向毎に変化する。
【００７４】
導光光学素子２は、補助画像ＳＩを生成するように源３（詳細に表されない）から補助光をもたらすのに適切である。導光光学素子２の構造は本明細書の主題ではなく、この主題に関し入手可能な他の文献を参照し得る。好適な光学素子の一例は、ＬＵＭＵＳ社の名義における特許文献国際公開第２００５０２４４９１号パンフレット又は特許文献国際公開第２００１９５０２７号パンフレットに記載されている。一般的に、本発明は、レンズの後面ＦＳの光学特性により歪められ得るか、又は修正され得る補助画像を提供するレンズに埋め込まれた任意の光学素子に適用され得る。
【００７５】
レンズ１０は、導光光学素子２と前面ＦＳとの間にある前部１３と、導光光学素子２と後面ＢＳとの間にある後部１２とを有する。
【００７６】
導光光学素子２は、面ＦＳ及び面ＢＳにほぼ平行な特定方向のレンズ１０の領域内で横に制限される。このような構成では、レンズ１０の前部１３と後部１２とは導光光学素子２の周辺端２ｅを越えて延在する。次に、レンズ１０は、導光光学素子２の周辺端２ｅを越えて延び、且つ前部１３と後部１２とをレンズ１０の周辺端Ｅに連続的に結合する中間部１１を有する。
【００７７】
導光光学素子２は、仮想端２ｅ’により分離された２つのゾーン２ａ及び２ｂに仮想的に分割される。ゾーン２ａは画像化部であり、補助画像は装着者の眼に応じてここから発生する。ゾーン２ｂは、画像を装着者へ提供することなく補助画像が源３から伝搬される伝搬部である。
【００７８】
ゾーン２ａの端は、導光光学素子により出力された補助画像の輪郭である。補助画像は出射面ＥＳに従って近位面ＰＳを横切る。遠位面上の出射面ＥＳに対応する面を「対向面」（ＯＰＳ）と呼ぶ。本例によると、画像化部はその幅がＷでありその高さはＨであるほぼ矩形である。
【００７９】
一般的に使用される光学基準によると、出射面ＥＳはＡＣ（α，β）で表される開口角輪郭により画定される。αは眼偏角であり、及びβは眼アジマス角であり、α，β極はレンズ後方の装着者の眼１００の回転中心（ＣＲＥ）である。１０１はα＝β＝０である軸に対応する。
【００８０】
一例によると、上記開口ＡＣは、出射面ＥＳの中心を通る補助視野の光軸のいずれかの側＋／−１５°（度）であり得る。開口は、｜β１｜＋｜β２｜により方位角面内に画定され、｜α１｜＋｜α２｜により垂直平面内に画定される。開口角輪郭の限界の母線は、眼視野と補助視野との２つの視野が重ね合わせられる領域内のレンズの後面ＢＳと交差する。図１ａ及び図１ｂの構成では、眼視野と補助視野とのそれぞれの光軸は同一であるが、別個でもよい。
【００８１】
図１ａ及び図１ｂは、装着者による使用の位置における眼鏡レンズを表す。したがって、装着者の眼１００は、一方ではレンズの前に位置する環境から発生する光ＯＶを受けるように、他方では光が導光光学素子２によりもたらされる補助画像ＳＩに対応するように、後面側のレンズ１０の背後に位置する。２つの光ＯＶ及びＳＩの光ビームは眼視野と補助視野とにそれぞれ対応する。２つの光ＯＶ及びＳＩの光ビームはそれぞれ、瞳孔１２０を通過した後に眼画像と補助画像とを装着者の網膜１１０上に形成する。参照符号１３０は瞳孔１２０を囲む装着者の虹彩を示す。装着者が見る方向は眼１００の光軸に対応する。装着者が見る方向は、眼１００が装着者の眼球孔内で回転すると変化するそれぞれの点において眼鏡レンズの面ＦＳ及びＢＳと交差する。
【００８２】
光ＯＶがレンズの２つの面ＦＳ及びＢＳを通過するのであれば、２つの面ＦＳ及びＢＳは両方とも、眼視野に相対的であるレンズの光学特徴に寄与する。しかし光ＳＩは面ＦＳを通過せず、したがって、この面は補助視野に相対的であるレンズの光学特徴に寄与しない。光ＯＶ及びＳＩ間のこの差のために、光ＯＶ及びＳＩはレンズの後面ＢＳを通過した後に同一の収束特性を呈示しない。このため、網膜上に形成される眼画像と追加画像とは同時には明瞭でないことがあり得る。
【００８３】
表現「眼視野及び補助視野の一方又は他方と相対的であるレンズの光学特性」は、特には装着者が見る方向毎のレンズの屈折力値、非点収差値、光学的歪値などを意味するものと理解すべきである。
【００８４】
以下の例（例１〜５）は本発明の方法の実施形態を示すために与えられる。
【００８５】
例１：標的としてのフレームの基本曲線に従った前面及び後面の最適化
図２は、従来技術による眼用レンズ１０の光学系と所定の基本曲線を有する所与の眼鏡フレーム４とを表す。
【００８６】
眼用レンズ１０は、眼視野（ＯＶ）を提供するように配置された後面（ＢＳ）と前面（ＦＳ）とを含む。
【００８７】
眼用レンズ１０はまた、入射面５を通して補助画像（ＳＩ）を入力するとともに、２方向１０２及び１０３により境界を定められたＡＣ（α，β）で表される開口角輪郭により画定された出射面６を通して前記補助画像（ＳＩ）を出力するように配置された導光光学素子２を含む。
【００８８】
このような眼用レンズ１０は前記フレーム４内に一体的には含まれ得ない。
【００８９】
したがって、この例では、光学系は、レンズのフレーム内に完全に含まれた眼用レンズを提供するようにフレームの所定の基本曲線に従って計算される。
【００９０】
この例では、以下のパラメータデータが提供された。
・フレームの基本曲線値：４Ｄ
・水平面と０°且つ垂直面と−１０°傾斜された補助画像の所望の視方向１２１
・導光光学素子３の寸法：長さ４０ｍｍ、高さ２５ｍｍ、厚さ３ｍｍ
・眼用レンズ内の前記導光光学素子の位置：ＰＲＰ（プリズム基準点）と導光光学素子の最上部左隅とのベクトルはレンズ内の前記ガイドの位置を定義する。前記例によると、前記ベクトル座標はｘ＝−２７ｍｍ、ｙ＝＋１２．５ｍｍ、ｚ＝３．７ｍｍである。
・装着者の調節努力閾値（ＡＥＴ）＝１．５Ｄ
【００９１】
第１に、光学系（ＯＳ）の眼用レンズ１０ａの前面ＦＳａ及び後面ＢＳａは、補助画像（ＳＩ）を見る際に装着者の調節努力が装着者の調節努力閾値（ＡＥＴ）以下であるようにＡＣ（α，β）内で最適化された。
【００９２】
最適化はまた、補助画像の所望の視方向を考慮する。この例では、後面から生じる標的プリズム偏差は所望の視方向において零に近い。したがって光学系の視方向は導光光学素子の視方向に極めて近い。
【００９３】
第２に、光学系（ＯＳ）の前面ＦＳａ及び後面ＢＳａは、（α，β）が標的としての基本曲線値に従って様々な曲率を生成するようにＡＣ（α，β）から外れると、最適化された。
【００９４】
一実施形態によると、最適化工程は次の工程：
−  レンズ設計を提供する工程、
−  フレームの基本曲線に一致するように前面を最適化する工程、
−  設計に一致するように後面を最適化する（上述の特許国際公開第２００７／０１７７６６号パンフレットに記載のように）工程
を含む。
【００９５】
最適化処理中、導光光学素子幾何学形状（厚さ、サイズ）は、レンズの前面と後面との間に埋め込まれることを保証するように考慮され得る。導光光学素子がフレームより小さければ、この条件は、導光光学素子を埋め込まないレンズの一部分に対して尊重される必要はなく、したがってレンズの端におけるより大きい範囲の曲率修正を可能にする。
【００９６】
したがって、本発明による方法は、好適な眼視野と好適な補助視野との両方を標的としてのフレームの基本曲線値に従って装着者へ同時に提供する眼用レンズを提供できるようにする。
【００９７】
例２：標的としてのフレームの顔形角度に従った前面及び後面の最適化
図３は、従来技術の眼用レンズ１０の光学系とフレームの所定の顔形角度を有する所与の眼鏡フレーム１４とを表す。
【００９８】
眼用レンズ１０は、眼視野を提供するように配置された後面（ＢＳ）と前面（ＦＳ）とを含む。
【００９９】
眼用レンズ１０はまた、入射面１５を通して補助画像（ＳＩ）を入力するとともに、ＡＣ（α，β）で表される開口角輪郭により画定された出射面１６を通して補助画像（ＳＩ）を出力するように配置された導光光学素子２２を含む。
【０１００】
このような眼用レンズ１０は前記フレーム１４内に一体的には含まれ得ない。
【０１０１】
したがって、この例では、光学系はレンズのフレーム内に完全に含まれた眼用レンズを提供するようにフレームの所定の顔形角度に従って計算される。
【０１０２】
この例では、以下のパラメータデータが提供された。
・フレームの顔形角度＝１５°
・水平面と０°且つ垂直面と−１０°傾斜された補助画像の所望の視方向１３１
・例１において定義された導光光学素子３の寸法及び前記導光光学素子の位置
・装着者の調節努力閾値（ＡＥＴ）＝１．５Ｄ
【０１０３】
第１に、光学系（ＯＳ）の眼用レンズ１０ｂの前面ＦＳｂ及び後面ＢＳｂは、補助画像（ＳＩ）を見る際に装着者の調節努力が装着者の調節努力閾値（ＡＥＴ）以下であるようにＡＣ（α，β）内で最適化された。
【０１０４】
最適化はまた、補助画像の所望の視方向を考慮する。この例では、後面から生じる標的プリズム偏差は所望の視方向で零に近い。したがって光学系の視方向は光学導光体の視方向に極めて近い。
【０１０５】
第２に、光学系（ＯＳ）の前面ＦＳｂ及び後面ＢＳｂは、（α，β）が標的としての顔形角度に従って輪郭ＡＣ（α，β）から外れると、最適化された。
【０１０６】
この最適化は、眼用レンズ１０ｂの前面ＦＳｂ及び後面ＢＳｂの凹凸形状を生じる。
【０１０７】
したがって、本発明による方法は、好適な眼視野と好適な補助視野との両方を標的としてのフレームの顔形角度に従って装着者へ同時に提供する眼用レンズを提供できるようにする。
【０１０８】
最適化処理中、光学素子幾何学形状（厚さ、サイズ）は、レンズの前面と後面との間に埋め込まれることを保証するように考慮され得る。導光光学素子がフレームより小さければ、この条件は、導光光学素子を埋め込まないレンズの一部分に対して尊重される必要はなく、したがってレンズの端におけるより大きい範囲の曲率修正を可能にする。
【０１０９】
例３：標的としてのフレームの顔形角度に従った前面及び後面の最適化（導光光学素子のその初期位置からの傾斜）
図４は、フレームの所定の顔形角度を有する所与の眼鏡フレーム２４に従って計算された眼用レンズ１０ｃの光学系を表す。
【０１１０】
眼用レンズは、眼視野を提供するように配置された後面ＢＳｃと前面ＦＳｃとを含む。
【０１１１】
眼用レンズはまた、ＡＣ（α，β）で表される開口角輪郭により画定された出射面２６を通して補助画像（ＳＩ）を出力するように配置された導光光学素子２３を含む。
【０１１２】
この例では、以下のパラメータデータが提供された。
・フレームの顔形角度＝２０°
・水平面と０°且つ垂直面と０°傾斜された補助画像の所望の視方向１４１
・例１において定義された導光光学素子３の寸法及び前記導光光学素子の位置
・装着者の調節努力閾値（ＡＥＴ）＝１．５Ｄ
【０１１３】
第１に、光学系（ＯＳ）の眼用レンズの前面ＦＳｃ及び後面ＢＳｃは、補助画像（ＳＩ）を見る際に装着者の調節努力が装着者の調節努力閾値（ＡＥＴ）以下であるようにＡＣ（α，β）内で最適化された。
【０１１４】
第２に、導光光学素子２３は所定の顔形角度を有する光学系を提供するように水平面から８°傾斜される。
【０１１５】
第３に、導光光学素子の傾斜は出射面２６から出力される補助画像の偏位を生じるため、光学系の後面ＢＳｃ及び前面ＦＳｃは、次のものを追加することにより最適化される。
・補助画像方向を調整するようにプリズム３０
・眼画像方向を調整するようにプリズム２９
【０１１６】
例４：標的としてのフレームの装用時前傾角に従った前面及び後面の最適化
図５は、所定の装用時前傾角を有する所与の眼鏡フレーム（図５に図示せず）に従った眼用レンズ１０の光学系を表す。
【０１１７】
眼用レンズ１０は、眼視野を提供するように配置された後面（ＢＳ）及び前面（ＦＳ）を含む。
【０１１８】
眼用レンズ１０はまた、ＡＣ（α，β）で表される開口角輪郭により画定される出射面３６を通して補助画像（ＳＩ）を出力するように配置された導光光学素子３３を含む。
【０１１９】
この例では、以下のパラメータデータが提供された。
・フレームの装用時前傾角＝８０°
・水平面と０°且つ垂直面と−１０°傾斜された補助画像の所望の視方向１５１
・例１において定義された導光光学素子３の寸法及び前記導光光学素子の位置
・装着者の調節努力閾値（ＡＥＴ）＝１．５Ｄ
【０１２０】
第１に、光学系（ＯＳ）の眼用レンズ（１０ｄ、１０ｄ’）の前面（ＦＳｄ、ＦＳｄ’）及び後面（ＢＳｄ、ＢＳｄ’）は、補助画像（ＳＩ）を見る際に装着者の調節努力が装着者の調節努力閾値（ＡＥＴ）以下であるようにＡＣ（α，β）内で最適化された。
【０１２１】
第２に、光学系（ＯＳ）の前面（ＦＳｄ、ＦＳｄ’）及び後面（ＢＳｄ、ＢＳｄ’）は、（α，β）が標的としての装用時前傾角に従って輪郭ＡＣ（α，β）から外れると、最適化された。
【０１２２】
例えば、前面ＦＳｄ及び後面ＢＳｄは、前面ＦＳｄ’及び後面ＢＳｄ’が最適化される装用時前傾角より小さい装用時前傾角に従って最適化される。
【０１２３】
したがって、本発明による方法は、好適な眼視野と好適な補助視野との両方を標的としてのフレームの装用時前傾角に従って装着者へ同時に提供する眼用レンズを提供できるようにする。
【０１２４】
最適化処理中、導光光学素子幾何学形状（厚さ、サイズ）は、レンズの前面と後面との間に埋め込まれることを保証するように考慮され得る。導光光学素子がフレームより小さければ、この条件は、導光光学素子を埋め込まないレンズの一部分に対して尊重される必要はなく、したがってレンズの端におけるより大きい範囲の曲率修正を可能にする。
【０１２５】
例５：標的としてのフレームの装用時前傾角に従った前面及び後面の最適化（導光光学素子のその初期位置からの傾斜）
図６は、フレームの所定の装用時前傾角を有する所与の眼鏡フレーム（図６に図示せず）に従って計算された眼用レンズの光学系を表す。
【０１２６】
眼用レンズ１０ｅは、眼視野を提供するように配置された後面ＢＳｅと前面ＦＳｅとを含む。
【０１２７】
眼用レンズはまた、ＡＣ（α，β）で表される開口角輪郭により画定された出射面４６を通して補助画像（ＳＩ）を出力するように配置された導光光学素子５２を含む。
【０１２８】
この例では、以下のパラメータデータが提供された。
・フレームの装用時前傾角＝７５°
・水平面と０°且つ垂直面と−１０°傾斜された補助画像の所望の視方向１６１
・例１において定義された導光光学素子３の寸法及び前記導光光学素子の位置
・装着者の調節努力閾値（ＡＥＴ）＝１．５Ｄ
【０１２９】
第１に、光学系（ＯＳ）の眼用レンズ１０ｅの前面ＦＳｅ及び後面ＢＳｅは、補助画像（ＳＩ）を見る際に装着者の調節努力が装着者の調節努力閾値（ＡＥＴ）以下であるようにＡＣ（α，β）内で最適化された。
【０１３０】
第２に、導光光学素子は所定の装用時前傾角を有する光学系を提供するように水平面から５°傾斜される。
【０１３１】
第３に、導光光学素子の傾斜は出射面４６から出力される補助画像の偏位を生じるため、光学系の後面と前面は次のものを追加することにより最適化される。
・補助画像方向を調整するようにプリズム４９
・眼画像方向を調整するようにプリズム５０
【０１３２】
図７ａ及び図７ｂは、装着者の眼１００と、装着者の眼を補正することができ、フレームに組み込まれる眼鏡レンズ内に補助画像を出力するように配置された導光光学素子２との概略図である。
【０１３３】
これらの実施形態では、図の面は垂直面である。
【０１３４】
軸１０１は、第１眼位（すなわちα＝β＝０の軸）に対応し、眼の回転中心（ＣＲＥ）を通る。
【０１３５】
ＰＡＦはフレームの装用時前傾角を表し、玉型の面とフレームアームの面との角度の垂直成分である。したがって、フレームの装用時前傾角はフレームの幾何学的特徴のみに従って定義される。図７ａ及び図７ｂにおいて、玉型の面は点線７０を包含する図の面に垂直な面を指す。これらの例では、フレームアームの面はフレームが装着者により装着されるときの水平面である。前記面は、線１０１を包含する図の面に垂直な面である。前記実施形態では、フレームの装用時前傾角は約７５°である。他の実施形態によると、フレームアームの面は水平面ではない。
【０１３６】
ＰＡＬＧは、導光光学素子の装用時前傾角を表す。ＰＡＬＧは、導光光学素子の出射面の法線と、α＝β＝０の軸に対応する軸１０１に対応する第一眼位における眼の視線との角度である。
【０１３７】
図７ａは、導光光学素子が線１０１を中心に垂直方向に置かれる実施形態を示す。このとき、導光光学素子の装用時前傾角ＰＡＬＧは線１０１と出射面ＥＳの法線との角度である。
【０１３８】
図７ｂは、導光光学素子が線１０１から垂直方向にずらされた実施形態を示す。線１１１は、線１０１に平行な直線であり、導光光学素子の出射面装用時前傾角の面の法線と交差する。このとき、ＰＡＬＧは線１１１と出射面ＥＳの面の法線との角度である。
【０１３９】
例４及び例５に示すように、標的としてのフレームの装用時前傾角に従って前面と後面とを最適化することができる。
【０１４０】
同様の方法で、標的としての導光光学素子の装用時前傾角に従って前面及び後面を最適化することができる。
【０１４１】
本発明は、一般的発明概念の限定無しに実施形態を用いて上に説明された。特に、最適化基準は論述された例に限定されない。
【符号の説明】
【０１４２】
２  導光光学素子
３  導光光学素子
４  眼鏡フレーム
５  入射面
６  出射面
１０  眼鏡レンズ、眼用レンズ
１１  中間部
１２  後部
１３  前部
１４  眼鏡フレーム
１５  入射面
１６  出射面
２２  導光光学素子
２３  導光光学素子
２４  眼鏡フレーム
２６  出射面
２９  プリズム
３０  プリズム
３３  導光光学素子
３６  出射面
４６  出射面
４９  プリズム
５０  プリズム
５２  導光光学素子
７０  点線
１００  眼
１０１  軸
１０２  方向
１１０  網膜
１１１  線
１２０  瞳孔
１２１  視方向
１３０  参照符号
１３１  視方向
１４１  視方向
１５１  視方向
１６１  視方向
【図１ａ】
2017509929.tif 000003
【図１ｂ】
2017509929.tif 000004
【図２】
2017509929.tif 000005
【図３】
2017509929.tif 000006
【図４】
2017509929.tif 000007
【図５】
2017509929.tif 000008
【図６】
2017509929.tif 000009
【図７ａ】
2017509929.tif 000010
【図７ｂ】
2017509929.tif 000011
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
所与の眼鏡フレームに従って眼用レンズの光学系（ＯＳ）を計算する方法であって、前記眼用レンズは眼視野像（ＯＶ）を提供するように配置された後面（ＢＳ）及び前面（ＦＳ）を含み、前記後面は前記眼用レンズが装着されると装着者の眼に最も近く配置され、前記眼用レンズは近位面（ＰＳ）と遠位面（ＤＳ）とを有する導光光学素子を含み、前記導光光学素子は、前記近位面（ＰＳ）上に配置された出射面（ＥＳ）を通って前記装着者へ補助画像（ＳＩ）を出力するように配置され、前記方法は、
・前記眼鏡フレーム又は前記導光光学素子の少なくとも形態幾何学的パラメータデータを提供する工程と、
・標的として少なくとも前記形態幾何学的パラメータデータに従って前記光学系（ＯＳ）を最適化する工程と
を含む、眼用レンズの光学系（ＯＳ）を計算する方法。
【請求項２】
前記眼鏡フレーム及び／又前記導光光学素子の形態幾何学的パラメータは、前記眼鏡フレームの装用時前傾角、前記眼鏡フレームの顔形角度、前記眼鏡フレームの基本曲線及び前記眼鏡フレームの輪郭、並びに前記導光光学素子の装用時前傾角からなるリスト内で選択される、請求項１に記載の眼用レンズの光学系（ＯＳ）を計算する方法。
【請求項３】
請求項１又は２に記載の眼用レンズの光学系（ＯＳ）を計算する方法であって、
・前記補助画像の所望の視方向を提供する工程であって、前記光学系（ＯＳ）が標的としての前記所望の視方向に従っても最適化される、工程
をさらに含む、眼用レンズの光学系（ＯＳ）を計算する方法。
【請求項４】
前記光学系（ＯＳ）は前記遠位面（ＤＳ）と前記前面（ＦＳ）との距離ｄ１、及び前記近位面（ＰＳ）と前記後面（ＢＳ）との距離ｄ２が０．２ｍｍ以上であるという条件付きで最適化される、請求項１〜３のいずれか一項に記載の眼用レンズの光学系（ＯＳ）を計算する方法。
【請求項５】
前記光学系（ＯＳ）は前記眼用レンズの標的中心厚さ及び標的端厚さに従っても最適化される、請求項１〜４のいずれか一項に記載の眼用レンズの光学系（ＯＳ）を計算する方法。
【請求項６】
請求項１〜５のいずれか一項に記載の眼用レンズの光学系（ＯＳ）を計算する方法であって、
・前記装着者の処方箋データを提供する工程であって、前記光学系（ＯＳ）は標的としての前記装着者の処方箋データに従っても最適化される、工程
をさらに含む、眼用レンズの光学系（ＯＳ）を計算する方法。
【請求項７】
請求項１〜６のいずれか一項に記載の眼用レンズの光学系（ＯＳ）を計算する方法であって、
・前記導光光学素子の初期位置を提供する工程であって、前記光学系（ＯＳ）は前記導光光学素子の前記初期位置をずらす及び／又は傾斜させることによっても最適化される、工程
をさらに含む、眼用レンズの光学系（ＯＳ）を計算する方法。
【請求項８】
前記出射面（ＥＳ）はＡＣ（α，β）と表される開口角輪郭により画定される、請求項１〜７のいずれか一項に記載の眼用レンズの光学系（ＯＳ）を計算する方法であって、
・装着者の調節努力閾値（ＡＥＴ）を提供する工程と、
・前記補助画像（ＳＩ）を見る際に前記装着者の調節努力が前記装着者の調節努力閾値（ＡＥＴ）以下であるように、前記光学系（ＯＳ）をＡＣ（α，β）内で最適化する工程と
をさらに含む、眼用レンズの光学系（ＯＳ）を計算する方法。
【請求項９】
請求項１〜８のいずれか一項に記載の眼用レンズの光学系（ＯＳ）を計算する方法であって、
・設計光学データを提供する工程であって、前記光学系（ＯＳ）の前記前面（ＦＳ）及び／又は前記後面（ＢＳ）は標的としての前記設計光学データに従っても最適化される、工程
をさらに含む、眼用レンズの光学系（ＯＳ）を計算する方法。
【請求項１０】
前記前面（ＦＳ）又は前記後面（ＢＳ）それぞれの前記最適化は、モデル眼用レンズの前記設計光学データに対応するモデル眼用レンズ前方（ＦＳ）又は後面（ＢＳ）上にプリズムを追加する工程を含む、請求項９に記載の眼用レンズの光学系（ＯＳ）を計算する方法。
【請求項１１】
さらに、前記光学系（ＯＳ）の前記前面（ＦＳ）及び前記後面（ＢＳ）は、（α，β）が輪郭ＡＣ（α，β）から外れると、前記装着者の眼視野を満たすように同時に最適化されることを含む、請求項８に記載の眼用レンズの光学系（ＯＳ）を計算する方法。
【請求項１２】
請求項１〜１１のいずれか一項に記載の光学系（ＯＳ）を計算する方法によって計算された光学系（ＯＳ）に従ってレンズブランクを機械加工することにより加入度眼用レンズを製造する方法。
【請求項１３】
請求項１２に記載の方法に従って製造される眼用レンズであって、前記出射面（ＥＳ）を通る凝視方向に従った平均球と前記眼用レンズの周囲の点における平均球（Ｐｅｒｉｐｈ）との差（Δ１）が前記前面上又は前記後面上のいずれかで４ジオプタを超える（Δ１＞４Ｄ）、眼用レンズ。
【請求項１４】
プロセッサにアクセス可能であり、前記プロセッサにより実行されると前記プロセッサに少なくとも請求項１〜１１のいずれか一項に記載の方法における工程を実行させる１つ又は複数の格納された命令シーケンスを含む、コンピュータプログラム製品。
【請求項１５】
請求項１４に記載のコンピュータプログラム製品の１つ又は複数の命令シーケンスを担持するコンピュータ可読媒体。
【国際調査報告】
2017509929.tif 000012
2017509929.tif 000013
2017509929.tif 000014